(57)【要約】【課題】  表示された情報を作業者が任意の媒体に転記保存することが可能で、さらに情報取得時においても、装置の生産性、信頼性を考慮した画像形成装置を提供する。【解決手段】  情報を記憶し、その情報を表示し、使用状況に応じて情報を制御手段に表示し、使用中のジョブ内容や、ジョブ状況とは無関係な、任意の情報を表示する機能を有し、また、未使用中においても装置情報とは無関係な、任意の情報を表示する機能を有する情報表示機能付き画像形成装置Ａにおいて、作業者の指示により表示中の情報を画像形成機能により、記録媒体に画像形成処理させる。【選択図】  図８
2005169632.tif 000002
【特許請求の範囲】
【請求項１】
情報を記憶し、その情報を表示し、使用状況に応じて情報を制御手段に表示し、使用中のジョブ内容やジョブ状況とは無関係な任意の情報を表示する機能を有し、また、未使用中においても装置情報とは無関係な任意の情報を表示する機能を有する情報表示機能付き画像形成装置において、作業者の指示により表示中の情報を画像形成機能により、記録媒体に画像形成処理させることを特徴とする画像形成装置。
【請求項２】
指示された画像形成処理は、作業中のジョブが存在した場合には作業中のジョブを遮ることなく、作業終了後、画像形成処理されることを特徴とする請求項１記載の画像形成装置。
【請求項３】
作業者の指示があるとき、ジョブを中断してでも、速やかに画像形成を行うかまたは指示する指示手段を有することを特徴とする請求項２記載の画像形成装置。
【請求項４】
作業者の指示時、作業中のジョブが画像形成でない場合は速やかに画像形成処理させることを特徴とする請求項３記載の画像形成装置。
【請求項５】
赤外線による通信機能を有し、表示中の情報を、赤外線通信機能付きの携帯端末に取り込み可能なことを特徴とする請求項１記載の画像形成装置。
【請求項６】
メール送信機能を有し、表示中の情報を作業者の指示により他のメール受信可能機器に送信することが可能なことを特徴とする請求項５記載の画像形成装置。
【請求項７】
リムーバブルメディア類に書き込み可能な装置を有し、表示中の情報を作業者の指示により、リムーバブルメディアへ保存することが可能であることを特徴とする請求項５記載の画像形成装置。
【請求項８】
作業者の指示により表示中の情報に対してさらに詳細な情報を表示可能であることを特徴とする請求項５記載の画像形成装置。
【請求項９】
使用中のジョブ内容や、ジョブ状況とは無関係な、任意の情報または未使用中の装置情報とは無関係な任意の情報を表示中であっても、必要な装置情報やジョブ情報が発生した場合には速やかに表示可能であることを特徴とする請求項５記載の画像形成装置。
【請求項１０】
表示中の任意の情報を取り出し可能な場合にのみ、情報を出力するためのキーを有することを特徴とする請求項５記載の画像形成装置。
【発明の詳細な説明】
【技術分野】
【０００１】
本発明は、情報を記憶し、その情報を表示し、使用状況に応じて情報を制御手段に表示する画像形成装置に関するものである。
【背景技術】
【０００２】
近年、画像形成装置の情報端末としての機能拡張、普及はめざましいが、情報の取得および画像形成自体の処理の速度は処理待ち時間のストレスを感じないほどには向上していない。
また、画像の入出力、さらには通信機能などを備えている画像形成装置においては、情報を表示する大画面の表示部もしくは操作表示部を有するものも多く広まっている。
【発明の開示】
【発明が解決しようとする課題】
【０００３】
しかしながら、作業者の作業中には装置の状態やジョブの状態の表示などが行われるだけで、作業者に有意な情報を表示し、必要に応じて作業者が取り出すことができなかった。
また、待機中を含めて作業中に画像形成装置の状態以外の表示を行う場合においても、その表示が一方的に行われ、情報が切り換わって表示されるだけであった。
本発明の目的は、上記問題を解決するために、表示された情報を作業者が任意の媒体に転記保存することが可能で、さらに情報取得時においても、装置の生産性、信頼性を考慮した画像形成装置を提供することにある。
【課題を解決するための手段】
【０００４】
上記の課題を解決するために、請求項１に記載の発明は、情報を記憶し、その情報を表示し、使用状況に応じて情報を制御手段に表示し、使用中のジョブ内容やジョブ状況とは無関係な任意の情報を表示する機能を有し、また、未使用中においても装置情報とは無関係な、任意の情報を表示する機能を有する情報表示機能付き画像形成装置において、作業者の指示により表示中の情報を画像形成機能により、記録媒体に画像形成処理させる画像形成装置を特徴とする。
また、請求項２に記載の発明は、指示された画像形成処理は、作業中のジョブが存在した場合には作業中のジョブを遮ることなく、作業終了後、画像形成処理される請求項１記載の画像形成装置を特徴とする。
また、請求項３に記載の発明は、作業者の指示があるとき、ジョブを中断してでも、速やかに画像形成を行うかまたは指示する指示手段を有する請求項２記載の画像形成装置を特徴とする。
また、請求項４に記載の発明は、作業者の指示時、作業中のジョブが画像形成でない場合は速やかに画像形成処理させる請求項３記載の画像形成装置を特徴とする。
また、請求項５に記載の発明は、赤外線による通信機能を有し、表示中の情報を、赤外線通信機能付きの携帯端末に取り込み可能な請求項１記載の画像形成装置を特徴とする。
また、請求項６に記載の発明は、メール送信機能を有し、表示中の情報を作業者の指示により他のメール受信可能機器に送信することが可能な請求項５記載の画像形成装置を特徴とする。
また、請求項７に記載の発明は、リムーバブルメディア類に書き込み可能な装置を有し、表示中の情報を作業者の指示により、リムーバブルメディアへ保存することが可能である請求項５記載の画像形成装置を特徴とする。
また、請求項８に記載の発明は、作業者の指示により表示中の情報に対してさらに詳細な情報を表示可能である請求項５記載の画像形成装置を特徴とする。
また、請求項９に記載の発明は、使用中のジョブ内容や、ジョブ状況とは無関係な、任意の情報または未使用中の装置情報とは無関係な、任意の情報を表示中であっても必要な装置情報やジョブ情報が発生した場合には速やかに表示可能である請求項５記載の画像形成装置を特徴とする。
また、請求項１０に記載の発明は、表示中の任意の情報を取り出し可能な場合にのみ、情報を出力するためのキーを有する請求項５記載の画像形成装置を特徴とする。
【発明の効果】
【０００５】
本発明によれば、情報を表示している機器が画像形成装置であることを生かして情報を取り出すことが可能となり、作業者が所望の画像形成処理を遮ること無く、情報を印刷することにより、作業効率の低下を防止することができる。
【発明を実施するための最良の形態】
【０００６】
以下、図面を参照して、本発明の実施形態を詳細に説明する。図１は本発明による画像形成装置の制御部を示すブロック図である。ＣＰＵ１はこの画像形成装置を集中的に制御する。
画像メモリ２はスキャナ部１４で読み取った画像を蓄積したり、プリンタ部１６へ送出するためのデータを描画する領域として使用される。フラッシュＲＯＭ３にはＣＰＵ１が動作するためのプログラムが格納される。
フォントＲＯＭ４には印刷するための文字や操作表示部１１で表示するための文字のフォントデータが格納される。ハードディスクコントローラ５はこのデバイスにデータを書き込んだり、読み出したりすることにより、ハードディスク６へのデータの書き込み／読み出しや停止等の制御が行われる。
表示用メモリ７上に描画されたデータは操作表示部１１に表示される。グラフィックコントローラ８は表示用メモリ７への高速な描画処理や、表示用メモリ７からデータを読み出して操作表示部１１へ送出する等の制御を行う。
キースキャン回路９は操作部１０上に配置されたキー１２の状態を読み出してその状態を格納する。スキャナ制御Ｉ／Ｏ回路１３は、ＣＰＵ１がこの回路を使用して、スキャナ部１４を制御し、原稿の読み取り動作を行う。
プリンタ制御Ｉ／Ｏ回路１５に関して、ＣＰＵ１は、このプリンタ制御Ｉ／Ｏ回路１５を使用して、プリンタ部１６を制御し、印刷動作を行う。ＣＰＵ１は、赤外線通信回路１７を通じて、装置外部の機器との赤外線通信を行う。
ネットワークＩ／Ｆ回路１８に関して、ＣＰＵ１が、このネットワークＩ／Ｆ回路１８を通じて、ネットワーク上に接続された装置外部の機器との通信を行う。モデム回路１９は、ＣＰＵ１が、このモデム回路１９を通じて、公衆回線に接続し、装置外部の機器との通信を行う。
ＣＰＵバス２０に関して、ＣＰＵ１が、このＣＰＵバス２０を通じて、各回路、デバイスをアクセスする。外部課金装置２１は、例えば、コインラックのようなもので構成される。
ＣＰＵ１は、外部課金装置２１内に搭載された図示しないＣＰＵとＵＡＲＴ２２を介して通信することにより、外部課金装置２１に投入された金額情報を得、また外部課金装置２１上の図示しない表示部に表示する残金額の通知を行ったりする。
【０００７】
図２は画像形成装置の一部であるスキャナ部の構成を示す概略図である。図２において、この画像形成装置の一部のスキャナ部として図１中のスキャナ部１４の内部を示したものである。
圧板２３はコンタクトガラス２４上に載置された原稿（図示せず）を押えたり、原稿が無い場合はコンタクトガラス２４を保護する役割を有している。露光ランプ２５から照射された光は、コンタクトガラス２４上に載置された原稿面で反射され、３枚のミラー２６、２７、２８に反射され、レンズ２９で集光された後、ＣＣＤ３０上で結像される。
ＣＣＤ３０では、結像された光をアナログ電気信号に変換し、スキャナ画像処理部３５へ送出する。走行体３３上に、露光ランプ２５、ミラー２６が搭載される。
走行体３３は、ワイヤ３２を介してモータ３４の回転により、図中の矢印方向に移動し、原稿面に対して副走査が行われる。原稿サイズセンサ３１はコンタクトガラス２４上に載置された原稿のサイズを検出する回路を内蔵している。
図３は図２のスキャナ画像処理部の内部を示すブロック図である。図３のスキャナ画像処理部は図２中のスキャナ画像処理部３５の内部を示したものである。
ＣＣＤ３６はで図２中のＣＣＤ３０と同一のものである。
ＣＣＤ３６から出力されたアナログ信号は、アンプ回路３７で増幅され、Ａ／Ｄ変換回路３８で、例えば８ビットのデジタル信号に変換される。デジタル化された画像信号は、シェーディング補正回路３９、ＭＴＦ補正／平滑フィルタ回路４０、主走査変倍回路４１、γ／階調処理回路４２の各回路でデジタル信号処理が施され、画像メモリ部へ送出される。
シェーディング補正回路３９からγ／階調処理回路４２の各回路は、図１中のＣＰＵ１とＣＰＵバス２０を介して接続され、画像の読み取り条件に適した信号処理が行われるようなパラメータが、ＣＰＵ１から各回路に設定される。
【０００８】
図４はプリンタ部を示す概略図である。図４のプリンタ部は図１中のプリンタ部１６の内部を示したものである。画像形成装置Ａの下部には給紙トレイ４３が配置され、ここに収められた記録紙４４は給紙コロ４５でピックアップされ、装置内部を搬送される。
図１中の画像メモリ２から出力された画像データは、ＬＤユニット４６にてＬＤ光として発光され、ポリゴンミラー４７により反射され、レンズ４８を通して、帯電ユニット４９にて表面が帯電された感光体ドラム５０上に照射され、静電潜像が作られる。
静電潜像は現像装置５１にてトナーが付着されトナー像となり、転写ベルト５２にて記録紙に転写される。記録紙に転写されたトナーは、定着ユニット５４で熱と圧力により記録紙に融着される。こうして画像の書き込みがされた記録紙は、排紙ローラ５５を介して機外へ排出される。
図５は操作部を示す概略図である。図において、操作部５６は図１中の操作部１０と同一の操作部を示したものである。操作表示部５７は図１中の操作表示部１１と同一のもので、文字列やビットマップが表示される。それとともに、タッチパネルを備え、入力等の操作にも用いられる。
テンキー５８は図１中のテンキー１２と同一のもので、コピーの印刷部数の入力等の操作に用いられる。表示情報取り込み指定キー５９は表示部５６に表示する装置の操作とは関連しないユーザ任意の情報を取り込む設定の操作に用いられる。
スタートキー６０は、コピーや原稿読み取りの開始を指示する操作に用いられる。アプリケーション切り換えキー６１はコピー機能／プリンタ機能／スキャナ機能／ＦＡＸ機能等の機能を切り換える操作に用いられる。
１０６キーボード６２は任意の文字列を入力する操作に用いられる。本構成では、キーボードをハードキーで構成しているが、これは液晶タッチパネル上に表示されるソフトキーボードでも代用可能である。
次に画像形成装置Ａの管理者（以下管理者）の指定する任意の情報を表示部に表示する動作を図１および図５を用いて説明する。管理者は、操作表示部１１および５７に表示したい文字列を、図５中のキーボード６２から入力する。
入力された情報は、図１中のキー１２からキースキャン回路９を経て、ＣＰＵ１に読み込まれる。このＣＰＵ１は、入力された文字列の表示フォントをフォントＲＯＭ４から読み出し、表示用メモリ７に書き込む。
表示用メモリ７に書き込まれたデータは、グラフィックコントローラ８を介して操作表示部１１に送られ、図５中の操作表示部５７に表示される。この操作表示部に表示される任意の文字列は以下で説明する。
【０００９】
図６は操作表示部に表示される文字列を説明する概略図である。また、管理者指定の任意の情報が文字列でなく、画像イメージである場合の例を図１、図２および図５を用いて説明する。
ユーザは、操作表示部５７に表示したい画像イメージが描かれた原稿（図示せず）を、図２中のコンタクトガラス２４上に載置し、図５中のスタートキー６０を押下することにより、図１中のＣＰＵ１に対して画像の読み取り開始指示を与える。
ＣＰＵ１は、スキャナ制御Ｉ／Ｏ回路１３を操作してスキャナ部１４を制御して原稿の画像を読み取る。読み取られた画像データは、画像メモリ２に蓄積される。ＣＰＵ１は画像メモリ２に蓄積された画像データを、ＣＰＵバス２０を介して読み出し、表示用メモリ７に書き込む。
表示用メモリ７に書き込まれたデータは、グラフィックコントローラ８を介して操作表示部１１に送られ、図５中の操作表示部５７に表示される。この操作表示部５７には任意の画像イメージが表示される。
図７は図５の操作表示部に表示される任意の画像イメージを示す概略図である。図７の操作表示部５７に表示された任意の画像イメージは、また、画像イメージはＨＤＤ６に蓄積しておくことも可能である。
【００１０】
図８はコピー動作を行った場合の管理者指定任意表示のフローを示す概略図である。図８において、装置が使用されていない状態では、操作表示部５７は省電力のため消灯されている（図８（ａ））。次に作業者がコピー操作を行うために、なんらかのキーを押下すると、操作表示部５７が立ち上がり、コピー操作のための画面が表示される（図８（ｂ））。
作業者が、原稿をセットし、用紙サイズやコピー部数などの指定をし、スタートキー６０を押下すると、コピーが開始され、このとき管理者指定の任意表示が行われる（図８（ｃ））。コピー動作が終了すると、任意表示は消え、コピーが終了した旨の表示が行われる（図８（ｄ））。
図９は待機時の操作表示部点灯時のイメージの例を示す概略図である。また、コピーサービス、発券サービスなど店舗での利用の場合において、装置が使用されていない状態でも操作表示部５７を点灯させている状態では、管理者指定の任意表示を行うことも可能である。
図１０は画像形成装置での出力が可能な情報表示の例を示す概略図である。図１１は他の媒体への送信が可能な情報表示の例を示す概略図である。図１２は画像形成装置での出力および他の媒体への送信が可能な情報表示の例を示す概略図である。
図１０のような操作表示部５７の状態時に、作業者が情報の出力を要求する場合について記述する。作業者が表示中の情報を画像形成装置によって出力したい場合に、作業者が印刷指示キー６３を押下すると、ＣＰＵ１は表示用メモリ７に書き込まれている表示用データに対応するデータを画像メモリ２もしくはＨＤＤ６からプリンタ部１６によって出力する。
前述したように、表示情報の画像形成装置での画像形成が可能な場合、図１０に示すように、情報表示部の任意の箇所に印刷を指示するための印刷指示キー６３が表示され、また、送信のみが可能な場合には、図１１に示すように、情報転送のために必要な送信キー６４が表示される。
さらに、印刷、送信とも可能な場合には図１２に示すように印刷指示キー６３、送信キー６４がそれぞれ任意の箇所に表示される。転用禁止としたい情報においては印刷指示キー６３、送信キー６４どちらも表示させない。
【００１１】
図１３は本発明の第１の実施の形態を示すフローチャートである。図１０に示すような操作表示部５７の状態時に作業者が出力を要求した場合、すなわち、印刷指示キー６３の押下を判断し（Ｓ１）、押下する。
プリンタ部１６（図１）が待機中状態（Ｓ２）の場合は速やかに指定情報の印刷が出力（Ｓ３）され、ジョブ実行中の場合は、ジョブ終了待ち状態（Ｓ４）となり、ジョブが終了かどうかを判断（Ｓ５）した後、指定情報が出力（Ｓ３）される。
図１４は本発明の第２の実施の形態を示すフローチャートである。図１５は図１４における操作表示部のイメージを示す概略図である。図１５ａ）に示す表示部状態時に作業者が出力を要求した場合（図１４：Ｓ１０）、すなわち、印刷指示キー６３の押下を判断し（Ｓ１０）、押下すると、図１５ｂ）の選択画面が表示される（図１４：Ｓ１１）。
このとき“すぐに印刷”どうかを判断し（図１４：Ｓ１２）、“すぐに印刷”を選択すると、現在実行中のジョブに対する中断の要求が、プリンタ部１６（図１）に指示され（図１４：Ｓ１４）、指定情報の印刷が優先して行われた後（図１４：Ｓ１５）、中断されたジョブが再開する。
図１５（ｂ）の印刷タイミング選択画面７０（図１４：Ｓ１１）において“あとで印刷”が選択された場合（図１４：Ｓ１２）、ジョブ終了待ち状態（図１４：Ｓ１６）となりジョブが終了かどうか判断（図１４：Ｓ１７）した後、指定情報が出力（図１４：Ｓ１５）される。
作業者が所望の画像形成処理を遮るかどうか選択することが可能であり、作業効率を低下させないことも可能であるが、所望の画像形成処理に時間を要する場合、その待ち時間に情報を取り出し閲覧するなど、作業者の都合に合わせた情報の取り出しが可能となる。
【００１２】
図１６は本発明の第３の実施の形態を示すフローチャートである。作業者が出力を要求した場合（Ｓ２１）、プリンタ部１６の状態を確認し（Ｓ２２）、プリンタ部１６が待機中状態であった場合には、作業者指定の情報出力が速やかに行われる（Ｓ２３）。
待機中状態でないならば選択画面表示を行い（Ｓ２４）、現在実行中のジョブに対する中断の要求（“すぐに印刷”）が、プリンタ部１６（図１）に指示され（Ｓ２５）、指定情報の印刷が優先して行われた後（Ｓ２６）、中断されたジョブが再開する。
選択画面で“あとで印刷”が選択された場合（Ｓ２５）、ジョブ終了待ち状態（Ｓ２７）となりジョブが終了かどうか判断（Ｓ２８）した後、指定情報が出力（Ｓ２３）される。
上述したように図１１に示すごとく、情報表示中において、該当情報を転送することが可能なさいには送信キー６４を表示する。このさい、印刷、転送どちらも可能な場合には図１２に示すように、印刷指示キー６３、送信キー６４それぞれを表示する。
作業者の所望の作業が画像形成処理ではなく、たとえばデータの蓄積や送信であった場合、情報の画像形成のための資源（プリンタ）は空いているので、作業者にわざわざ選択してもらうことなく、速やかに情報の画像形成を行うことで、作業者の操作を軽減する。
図１７は本発明の第４の実施の形態を示すフローチャートである。図１８は表示情報出力方法を選択する操作表示部イメージを示す概略図である。図１８におけるａ）の情報表示時、送信キー６４が押下される（図１７：Ｓ３１）と、選択画面（図１８（ｂ））が表示される（図１７：Ｓ３２）。
このさい、情報転送に利用可能なものが操作表示部５７に表示される。例えば、メール送信指示キーが押下された場合（図１７：Ｓ３４）、指定情報の出力処理（図１７：Ｓ３６）として、アドレス入力もしくは出力方法選択画面６５が表示され、指定されたアドレスへ情報ファイルを送信する。
メモリカード時（図１７：Ｓ３５）、赤外線通信時（図１７：Ｓ３３）において同様に押下されると指定情報のための出力処理（図１７：Ｓ３６）が行われ、転送される。
情報の取り出し方法を画像形成だけでなく画像形成装置にすでに装着されている通信、および転送手段によることを可能にすることにより、作業者の情報入手手段を増やし、安易に入手することが可能となる。
【００１３】
図１９は詳細情報出力表示部イメージを示す概略図である。図１９（ａ）に詳細情報を持つ情報が表示された操作部５６を示している。詳細情報を有する場合、操作表示部５７に詳細キー６６が表示される。
作業者が詳細情報を操作表示部５７へ表示するさいには、詳細キー６６を押下する。それによって図１９（ｂ）の詳細情報が表示された操作部５６になる。戻るキー６７は親情報へ戻るさいに使用する。
また上下左右のスクロールキー６８はそれぞれ、詳細情報ページ内を上下にスクロールする場合に上下スクロールを使用し、前詳細情報ページ、後詳細情報ページに移動するさいに左右スクロールを使用する。
詳細情報を別途表示可能とすることにより、作業者へより有意な情報を提供可能となるとともに、情報提供側からも、後日追加情報が発生したさいなど、元情報の子情報として登録可能なため、作業を軽減することが可能となる。
【００１４】
図２０は親子情報管理のデータの親子関係の一例を示す概略図である。また、表示方法の親子関係は、表示データ入力時の設定でもよく、表示データ入力後、リスト表示により、データを選択肢、親子関係を定義するのでもよい。データの親子関係は２世代に限らず親子孫の３世代、もしくはそれ以上の関係でも定義可能である。
図２１は機械状態表示を示す概略図である。この図は装置情報が表示されたさいの操作表示部を示している。また、装置情報表示画面６９はジョブ情報表示画面でもよい。装置情報表示画面が表示された場合（図２１（ａ））、作業者は装置情報表示画面６９を閉じる。
情報表示中にも必要な装置情報およびジョブ情報を表示可能とすることで、作業者の本来所望する作業の効率低下を阻止する。また、装置情報、ジョブ情報表示画面から、元の情報表示画面、もしくは装置情報、ジョブ情報に関する詳細表示画面を選択し、画面を移行することが可能である。
このため、例えば、転写紙が機内に詰まった場合など、操作部上に表示される除去箇所、方法を表示したい場合には装置情報画面にもどり、また用紙切れによる通知で、とくに作業に関する情報が必要で無い場合は情報画面に戻り、そのまま用紙を補給し、スタートキーで作業を再開しつつ情報閲覧するなど、作業者の都合に合わせた対応が可能となる。
その後情報表示画面へ戻り、図２１（ｂ）の情報の閲覧画面へ戻ることも可能であり、また、装置情報、必要ならばジョブ設定画面を含めた状態表示画面へ切り換えることも可能である（図２１（ｃ））。
また、表示情報の種類によっては、持ち出し不可としたい情報が存在する場合でも、情報取り出しのための手段を設けないことにより対応可能とする。
【図面の簡単な説明】
【００１５】
【図１】本発明による画像形成装置の制御部を示すブロック図である。
【図２】画像形成装置の一部であるスキャナ部の構成を示す概略図である。
【図３】図２のスキャナ画像処理部の内部を示すブロック図である。
【図４】プリンタ部を示す概略図である。
【図５】操作部を示す概略図である。
【図６】操作表示部に表示される文字列を説明する概略図である。
【図７】図５の操作表示部に表示される任意の画像イメージを示す概略図である。
【図８】コピー動作を行った場合の管理者指定任意表示のフローを示す概略図である。
【図９】待機時の操作表示部点灯時のイメージの例を示す概略図である。
【図１０】画像形成装置での出力が可能な情報表示の例を示す概略図である。
【図１１】他の媒体への送信が可能な情報表示の例を示す概略図である。
【図１２】画像形成装置での出力および他の媒体への送信が可能な情報表示の例を示す概略図である。
【図１３】本発明の第１の実施の形態を示すフローチャートである。
【図１４】本発明の第２の実施の形態を示すフローチャートである。
【図１５】図１４における操作表示部のイメージを示す概略図である。
【図１６】本発明の第３の実施の形態を示すフローチャートである。
【図１７】本発明の第４の実施の形態を示すフローチャートである。
【図１８】表示情報出力方法を選択する操作表示部イメージを示す概略図である。
【図１９】詳細情報出力表示部イメージを示す概略図である。
【図２０】親子情報管理のデータの親子関係の一例を示す概略図である。
【図２１】機械状態表示を示す概略図である。
【符号の説明】
【００１６】
１  ＣＰＵ
２  画像メモリ
１０  操作部
１１  操作表示部
１２  キー
１４  スキャナ部
１６  プリンタ部
１７  赤外線通信回路
５６  操作部  
５７  操作表示部
６０  スタートキー
６３  印刷指示キー
６４  送信キー
６５  出力方法選択画面
６６  詳細キー
【図１】
2005169632.tif 000003
【図２】
2005169632.tif 000004
【図３】
2005169632.tif 000005
【図４】
2005169632.tif 000006
【図５】
2005169632.tif 000007
【図６】
2005169632.tif 000008
【図７】
2005169632.tif 000009
【図８】
2005169632.tif 000010
【図９】
2005169632.tif 000011
【図１０】
2005169632.tif 000012
【図１１】
2005169632.tif 000013
【図１２】
2005169632.tif 000014
【図１３】
2005169632.tif 000015
【図１４】
2005169632.tif 000016
【図１５】
2005169632.tif 000017
【図１６】
2005169632.tif 000018
【図１７】
2005169632.tif 000019
【図１８】
2005169632.tif 000020
【図１９】
2005169632.tif 000021
【図２０】
2005169632.tif 000022
【図２１】
2005169632.tif 000023